(57)【要約】 【課題】  ロール状の遮水シートをスムーズに回転させ、遮水シートを容易に展開させることができる遮水シート収納具および遮水シート収納具を用いた遮水シートの設置方法を提供することを目的としている。【解決手段】  地盤に形成された溝内に配置され、ロール状に巻かれた遮水シート３を収納するとともに遮水シート３を溝内に展開させる遮水シート収納具１であって、内部にロール状の遮水シート３が収納され、側部に遮水シート３を引き出すための引出口４が形成されている筒部材５と、筒部材５内の遮水シート３を回転可能に保持する回転保持手段６と、引出口４を通過する遮水シート３の両側にそれぞれ配置されて引出口３を塞ぐ止水手段７とが備えられている。【選択図】      図１
2006207153.tif 000002
【特許請求の範囲】
【請求項１】
地盤に形成された溝内に配置され、ロール状に巻かれた遮水シートを収納するとともに該遮水シートを前記溝内に展開させる遮水シート収納具であって、
内部にロール状の前記遮水シートが収納され、側部に該遮水シートを引き出すための引出口が形成されている筒部材と、
該筒部材内の前記遮水シートを回転可能に保持する回転保持手段と、
前記引出口を通過する前記遮水シートの両側にそれぞれ配置されて前記引出口を塞ぐ止水手段とが備えられていることを特徴とする遮水シート収納具。
【請求項２】
請求項１記載の遮水シート収納具において、
前記筒部材内には、先端部に第１の継手部が付設され、基端部に隣接する前記遮水シートの前記第１の継手部に連結される第２の継手部が付設された前記遮水シートが収納され、
前記溝内に展開する前記遮水シートの前記第２の継手部を前記溝内に出る手前で両側から挟持する挟持手段が備えられていることを特徴とする遮水シート収納具。
【請求項３】
請求項１記載の遮水シート収納具において、
前記筒部材内には、先端部に第１の継手部が付設されているとともに基端部が前記筒部材内で固定される前記遮水シートが収納され、
前記筒部材の外側面には、隣接する前記遮水シートの前記第１の継手部が連結される第２の継手部が付設されていることを特徴とする遮水シート収納具。
【請求項４】
請求項１記載の遮水シート収納具を用いた遮水シートの設置方法において、
前記遮水シート収納具を前記溝内に挿入する工程と、
前記遮水シートの先端部を前記溝内に固定し、前記回転保持手段によって前記筒部材内の前記遮水シートを軸回転させつつ前記遮水シート収納具を前記溝に沿って移動させる工程とを備えることを特徴とする遮水シートの設置方法。
【請求項５】
請求項２記載の遮水シート収納具を用いた遮水シートの設置方法において、
前記遮水シート収納具を前記溝内に挿入する工程と、
前記遮水シートの先端部を前記溝内に固定し、前記回転保持手段によって前記筒部材内の前記遮水シートを軸回転させつつ前記遮水シート収納具を前記溝に沿って移動させる工程と、
前記遮水シートの基端部に付設された前記第２の継手部を前記挟持手段によって挟持する工程と、
前記筒部材内に新たな遮水シートを挿装させるとともに、該新たな遮水シートの先端部に付設された前記第１の継手部を前記挟持手段によって挟持された前記第２の継手部に前記筒部材内で連結する工程とを備えることを特徴とする遮水シートの設置方法。
【請求項６】
請求項３記載の遮水シート収納具を用いた遮水シートの設置方法において、
前記遮水シート収納具を前記溝内に挿入する工程と、
前記遮水シートの先端部を前記溝内に固定し、前記回転保持手段によって前記筒部材内の前記遮水シートを軸回転させつつ前記遮水シート収納具を前記溝に沿って移動させる工程と、
新たな遮水シート収納具を前記溝内の前記筒部材に隣接させて前記溝内に挿入するとともに、前記新たな遮水シート収納具の筒部材内に収納された新たな遮水シートの前記第１の継手部と前記溝内の前記筒部材に付設された前記第２の継手部とを連結する工程とを備えることを特徴とする遮水シートの設置方法。
【発明の詳細な説明】
【技術分野】
【０００１】
本発明は、地盤に形成された溝内でロール状の遮水シートを展開させる場合に用いる遮水シート収納具およびその遮水シート収納具を用いた遮水シートの設置方法に関する。
【背景技術】
【０００２】
産業廃棄物の最終処分場などでは、汚染物の流出を防止するために遮水構造で最終処分場を囲み、外部と仕切る必要がある。遮水構造としては、透水性の高い地盤や地耐力の低い地盤の場合、簡単且つ高い水密性を確保できる遮水シートを使用した遮水シート工法が採用される場合が多い。一般に、遮水シートからなる遮水構造を地盤内に鉛直に構築する方法として、まず地盤を溝状にほぐすとともに水を混合させて溝内を泥水に置き換え、次に泥水に置き換えられた溝内に遮水シートを鉛直に挿入する方法がある（例えば、特許文献１参照。）。
【０００３】
また、近年、ロール状に巻いた遮水シートを溝内で展開する方法が開発されている。この方法は、ロール状の遮水シートを溝内に挿入し、溝内でロール状の遮水シートを展開し、溝内に遮水シートを配置する方法である。従来、ロール状の遮水シートは、芯部材に遮水シートを巻き付けたものであり、ロール状の遮水シートは溝内に満たされたソイルセメントや泥水の中で回転しながら展開される。
【０００４】
また、一度に設置できる遮水シートの長さには限度があるため、長い範囲にわたって連続的な遮水構造体を構築する場合は、引き出される遮水シートの先端部および基端部に一対の継手部をそれぞれ付設し、既に溝内に配置された遮水シートの基端部と新たに挿入した遮水シートの先端部とを継手部を介して連結する。具体的には、溝内に配置された遮水シートの基端部の隣りにロール状の遮水シートを挿入しつつ、溝内の遮水シート基端部に付設された継手部と新たに挿入する遮水シート先端部の継手部とをジョイントさせていく。これによって、溝内に遮水シートを連続的に配置することができる。
【特許文献１】特許第３０９４１８６号公報
【発明の開示】
【発明が解決しようとする課題】
【０００５】
しかしながら、上記した従来のロール状の遮水シートでは、溝内に満たされたソイルセメント等の中でロール状の遮水シートを回転させつつ展開することとなるため、ソイルセメント等との摩擦抵抗によりロール状の遮水シートがスムーズに回転せず、遮水シートを展開させる際に大きな回転力が必要になるという問題がある。また、隣接する遮水シートに連結しながら新たな遮水シートを挿入する際、当該遮水シートと溝内のソイルセメント等との摩擦抵抗や遮水シート自体に作用する浮力に抵抗するために、大きな圧入力を加える必要があるという問題が存在する。また、溝内に配置された遮水シートの継手部はソイルセメント等の中で固定されていない状態にあるため、継手部同士をジョイントする作業は難しいという問題がある。さらに、時間が経過して溝内のソイルセメント等が固化した場合には、継手部同士をジョイントすることが困難になるという問題が存在する。
【０００６】
本発明は、上記した従来の問題が考慮されたものであり、ロール状の遮水シートをスムーズに回転させ、遮水シートを容易に展開させることができる遮水シート収納具および遮水シート収納具を用いた遮水シートの設置方法を提供することを目的としている。また、ロール状の遮水シートをソイルセメント等が満たされた溝内に配置する際、大きな圧入力を加えずにロール状の遮水シートを容易に配置させることを目的としている。また、溝内に配置された遮水シートの継手部を固定し、継手部同士のジョイント作業を容易にすることを目的としている。さらには、ソイルセメント等が固化した場合でも継手部同士をジョイントさせることを目的としている。
【課題を解決するための手段】
【０００７】
請求項１記載の発明は、地盤に形成された溝内に配置され、ロール状に巻かれた遮水シートを収納するとともに該遮水シートを前記溝内に展開させる遮水シート収納具であって、内部にロール状の前記遮水シートが収納され、側部に該遮水シートを引き出すための引出口が形成されている筒部材と、該筒部材内の前記遮水シートを回転可能に保持する回転保持手段と、前記引出口を通過する前記遮水シートの両側にそれぞれ配置されて前記引出口を塞ぐ止水手段とが備えられていることを特徴としている。
【０００８】
請求項４記載の発明は、請求項１記載の遮水シート収納具を用いた遮水シートの設置方法において、前記遮水シート収納具を前記溝内に挿入する工程と、前記遮水シートの先端部を前記溝内に固定し、前記回転保持手段によって前記筒部材内の前記遮水シートを軸回転させつつ前記遮水シート収納具を前記溝に沿って移動させる工程とを備える。
【０００９】
このような特徴により、筒部材内に収納されたロール状の遮水シートを軸回転させつつ遮水シート収納具を溝内で移動させることで、筒部材内に収納されたロール状の遮水シートは引出口から引き出されて構内に展開するが、止水手段によって溝内に満たされたソイルセメントや泥水が筒部材内に流入することはなく、ロール状の遮水シートは中空の筒部材内で回転される。
【００１０】
請求項２記載の発明は、請求項１記載の遮水シート収納具において、前記筒部材内には、先端部に第１の継手部が付設され、基端部に隣接する前記遮水シートの前記第１の継手部に連結される第２の継手部が付設された前記遮水シートが収納され、前記溝内に展開する前記遮水シートの前記第２の継手部を前記溝内に出る手前で両側から挟持する挟持手段が備えられていることを特徴としている。
【００１１】
請求項５記載の発明は、請求項２記載の遮水シート収納具を用いた遮水シートの設置方法において、前記遮水シート収納具を前記溝内に挿入する工程と、前記遮水シートの先端部を前記溝内に固定し、前記回転保持手段によって前記筒部材内の前記遮水シートを軸回転させつつ前記遮水シート収納具を前記溝に沿って移動させる工程と、前記遮水シートの基端部に付設された前記第２の継手部を前記挟持手段によって挟持する工程と、前記筒部材内に新たな遮水シートを挿装させるとともに、該新たな遮水シートの先端部に付設された第１の継手部を前記挟持手段によって挟持された第２の継手部に前記筒部材内で連結する工程とを備えることを特徴としている。
【００１２】
このような特徴により、溝内に展開された遮水シートの基端部と新たに挿装される遮水シートの先端部とは、ソイルセメント等が流入していない中空の筒部材内で継手部を介して連結される。また、溝内に展開された遮水シート基端部の継手部と新たに挿装される遮水シート先端部の継手部とを結合させる際、遮水シート基端部に付設された継手部は挟持手段によって固定される。また、新たなロール状の遮水シートを溝内に配置する際、筒部材を溝内に配置したままの状態で、中空の筒部材内にロール状の遮水シートが挿装される。
【００１３】
請求項３記載の発明は、前記筒部材内には、先端部に第１の継手部が付設されているとともに基端部が前記筒部材内で固定される前記遮水シートが収納され、前記筒部材の外側面には、隣接する前記遮水シートの前記第１の継手部が連結される第２の継手部が付設されていることを特徴としている。
【００１４】
請求項６記載の発明は、請求項３記載の遮水シート収納具を用いた遮水シートの設置方法において、前記遮水シート収納具を前記溝内に挿入する工程と、前記遮水シートの先端部を前記溝内に固定し、前記回転保持手段によって前記筒部材内の前記遮水シートを軸回転させつつ前記遮水シート収納具を前記溝に沿って移動させる工程と、新たな遮水シート収納具を前記溝内の前記筒部材に隣接させて前記溝内に挿入するとともに、前記新たな遮水シート収納具の筒部材内に収納された新たな遮水シートの前記第１の継手部と前記溝内の前記筒部材に付設された前記第２の継手部とを連結する工程とを備えることを特徴としている。
【００１５】
このような特徴により、遮水シート収納具は筒部材の重量によって大きな圧入力を加えることなく溝内に挿入され、溝内にロール状の遮水シートが配置される。第１の継手部と第２の継手部とを結合させる際、第２の継手部は筒部材に付設されているため余計な挙動を起こさない。
【発明の効果】
【００１６】
請求項１記載の遮水シート収納具および請求項４記載の遮水シートの設置方法によれば、内部にロール状の遮水シートが収納されているとともに側部に遮水シートを引き出すための引出口が形成されている筒部材と、筒部材内の遮水シートを回転可能に保持する回転保持手段と、引出口を通過する遮水シートの両側にそれぞれ配置されて引出口を塞ぐ止水手段とが備えられており、回転保持手段によって筒部材内の遮水シートを軸回転させつつ遮水シート収納具を溝に沿って移動させるため、筒部材内に収納されたロール状の遮水シートは引出口から引き出されて構内に展開され、溝内に遮水シートを容易に設置することができる。また、遮水シートを展開させる際、止水手段によって筒部材内部にソイルセメント等が流入することはなく、ロール状の遮水シートは中空の筒部材内でスムーズに回転され、遮水シートを容易に展開させることができる。
【００１７】
また、請求項２記載の遮水シート収納具および請求項４記載の遮水シートの設置方法によれば、筒部材内には先端部に第１の継手部が付設されて基端部に第２の継手部が付設された前記遮水シートが収納され、遮水シート収納具には第２の継手部を筒部材内で挟持する挟持手段が備えられており、新たな遮水シートの先端部に付設された第１の継手部を、挟持手段によって挟持された第２の継手部に連結するため、隣接する遮水シート同士はソイルセメント等が流入していない中空の筒部材内で連結され、ソイルセメント等の抵抗を受けることなく容易に連結することができる。また、溝内に展開された遮水シート基端部の第２の継手部と新たに挿装される遮水シート先端部の第１の継手部とを結合させる際、第２の継手部は挟持手段によって固定されるため、第２の継手部が余計な挙動を起こすことがなく、容易に連結することができる。また、遮水シートを連結させる際、溝内の筒部材はそのままの状態で、ロール状の遮水シートを中空の筒部材内に挿装させることで、新たなロール状の遮水シートは溝内に配置されるため、遮水シート同士をジョイントするたびに筒部材を溝内から引き上げる必要がなく、施工手間を軽減することができる。
【００１８】
また、請求項３記載の遮水シート収納具および請求項５記載の遮水シートの設置方法によれば、筒部材内には先端部に第１の継手部が付設されて基端部が筒部材内で固定される遮水シートが収納され、筒部材の外側面には第２の継手部が付設されており、新たな遮水シート収納具を溝内の筒部材に隣接させて溝内に挿入するとともに、新たな遮水シート収納具の筒部材内に収納された新たな遮水シートの第１の継手部と溝内の筒部材に付設された第２の継手部とを連結するため、筒部材の重量によって大きな圧入力を加えることなく溝内に遮水シート収納具を挿入することができ、溝内にロール状の遮水シートを容易に配置することができる。また、第２の継手部は筒部材に付設されているため、第１の継手部と第２の継手部とを結合させる際、第２の継手部が余計な挙動を起こさず、容易に連結することができる。
【発明を実施するための最良の形態】
【００１９】
以下、本発明に係る遮水シート収納具および遮水シート収納具を用いた遮水シートの設置方法の第１，第２の実施の形態について説明する。
【００２０】
［第１の実施の形態］
図１は遮水シート収納具１の横断面図であり、図２は遮水シート収納具１の縦断面図である。図１，図２に示すように、遮水シート収納具１は、地盤Ｇに形成されてソイルセメントＳが満たされた溝２内に配置され、溝２内で展開されるロール状に巻かれた遮水シート３を収納するとともに溝２内に遮水シート３を送り出すものであり、筒部材５と回転保持手段６と止水手段７と挟持手段８とが備えられている。遮水シート３は、ボビン９にロール状に巻き付けられており、遮水シート３の先端部には雌継手部１０が付設されており、遮水シート３の基端部には雌継手部１０に嵌合される雄継手部１１が付設されている。
【００２１】
筒部材５は、下端に底部５ａが形成された中空円柱形のものであり、筒部材５の内部にはロール状の遮水シート３が収納されており、筒部材５の側部には遮水シート３を引き出すための引出口４が形成された箱状のボックス部１２が形成されている。ボックス部１２は筒部材５の側面から張設されており、引出口４はボックス部１２の先端に形成されている。
【００２２】
筒部材５の上端には蓋部５ｂが被せられており、筒部材５の内周面には複数のキャスター１３が付設されている。キャスター１３は鉛直方向に回転自在に取り付けられているとともにスプリング１３ａによって内側に付勢されており、回転自在のローラー部１３ｂが遮水シート３の外周面に接触されている。また、ローラー部１３ｂは回転自在に取り付けられており、ロール状の遮水シート３を挿入するときは鉛直方向に回転し、ロール状の遮水シート３を軸回転させるときは水平方向に回転する。
【００２３】
回転保持手段６は、筒部材５内の遮水シート３を回転可能に保持するものであり、筒部材５内に収納されたロール状の遮水シート３を載せるターンテーブル１４と、遮水シート３が巻き付けられたボビン９内に貫装された駆動シャフト１５と、駆動シャフト１５を軸回転させる駆動機１６とから構成されている。ターンテーブル１４は筒部材５内の底部５ａに配置されており、水平方向に回転自在に取り付けられている。ターンテーブル１４の中心には、駆動シャフト１５の下端部が嵌挿される筒状のシャフトホルダー２４が立設されており、駆動シャフト１５とターンテーブル１４とは一体的に回転される。駆動シャフト１５の上端部は蓋部５ｂを貫通して蓋部５ｂ上に配置された駆動機１６に接続されており、駆動機１６は駆動シャフト１５に対して取り外し可能に設けられている。また、駆動シャフト１５とボビン９とは、駆動シャフト１５が回転するとボビン９も同期して回転するように嵌合されているとともに、ボビン９のみを引き抜くことができるように脱着可能に取り付けられている。
【００２４】
止水手段７は、引出口４を塞いで筒部材５内へのソイルセメントＳの流入を防ぐものであり、引出口４を通過する遮水シート３の両側にそれぞれ配置された対向する２枚の流入防止シート１７から構成されている。流入防止シート１７はフレキシブルなシートであり、例えばゴム製シートからなる。２枚の流入防止シート１７は、ボックス部１２からそれぞれ張り出されており、引出口４から出た遮水シート３を両面側から挟み込むように配置されている。流入防止シート１７の基端部は、固定プレート１８とボックス部１２との間に介在されてボルト接合されており、流入防止シート１７の先端部は、ソイルセメントＳの圧力によって押圧されて遮水シート３にそれぞれ密着されている。
【００２５】
挟持手段８は、溝２内に展開する遮水シート３の雄継手部１１を溝２内に出る手前で両側から挟持するものであり、雄継手部１１の両側に配置されて雄継手部１１を両側から挟み込むように開閉する挟持部材１９と、挟持部材１９を水平方向に回転させて挟持部材１９を開閉させる開閉機構２０とから構成されている。挟持部材１９は、ヒンジ結合された２枚のプレート１９ａ，１９ｂからなり、ボックス部１２内に配置されている。一方のプレート１９ａはボックス部１２の内面に接合されており、他方のプレート１９ｂは回転自在に配置されている。雄継手部１１を押圧する他方のプレート１９ｂの端部は、若干屈曲されているとともに、ゴム製の緩衝材２１が付設されており、緩衝材２１によって他方のプレート１９ｂの端部と雄継手部１１とは密着される。
【００２６】
図３（ａ）は閉状態の開閉機構２０を表す斜視図であり、図３（ｂ）は開状態の開閉機構２０を表す斜視図である。図１，図３（ａ），図３（ｂ）に示すように、開閉機構２０はエアが送り込まれると膨張する複数の膨張部２２と、膨張部２２にエアを供給するエア管２３と、図示せぬエアコンプレッサーとから構成されている。複数の膨張部２２は他方のプレート１９ｂの側方にそれぞれ配置されており、膨張部２２と他方のプレート１９ｂとは接触されている。図３（ａ）に示すように、膨張部２２が膨張すると他方のプレート１９ｂは押圧されて閉じる方向に回転し、図３（ｂ）に示すように、膨張部２２が収縮すると他方のプレート１９ｂは開く方向に回転する。
【００２７】
次に上記した遮水シート収納具１を用いて溝２内に遮水シート３の設置する方法について説明する。
【００２８】
まず、図４に示すように、掘削機によって形成された溝２内にロール状の遮水シート３が収納された遮水シート収納具１を挿入する工程を行う。具体的には、重機Ｍを使用して遮水シート収納具１の上端部を掴持し、ソイルセメントＳで満たされた溝２内に遮水シート収納具１を略鉛直に挿入する。
【００２９】
次に、図１，図２に示すように、引出口４から筒部材５の外に引き出された遮水シート３の先端部を、例えば溝２内に打込んだ図示せぬ棒状のアンカー部材に係止させることで溝２内に固定し、回転保持手段６によって筒部材５内の遮水シート３を軸回転させつつ遮水シート収納具１を溝２に沿って移動させる工程を行う。具体的には、駆動機１６を稼動させて駆動シャフト１５を軸回転させ、駆動シャフト１５の下端に取り付けられたターンテーブル１４を回転させる。これによって、ターンテーブル１４上に載せられたロール状の遮水シート３は筒部材５内に収納されたロール状の遮水シート３を軸回転する。このとき、筒部材５内のキャスター１３は、ローラー部１３ｂがスプリング１３ａによってロール状の遮水シート３の外周面に接触するとともにローラー部１３ｂの向きが水平方向に回転する向きになり、軸回転するロール状の遮水シート３の外周面上を転がる。また、遮水シート収納具１は、重機などを用いて溝２に沿って移動させる。このとき、遮水シート収納具１を溝２に沿って移動させるとともに、遮水シート収納具１に備え付けられた図示せぬモルタル供給手段によって溝２の底にモルタル２５を連続的に供給する。このモルタル２５によって、溝２内に展開された遮水シート３の下端部と溝２の底面との間を塞ぐことができ、遮水シート３の下方の隙間から浸水することを防止することができる。
【００３０】
次に、図１，図２，図５に示すように、遮水シート３の基端部に付設された雄継手部１１を挟持手段８によって挟持する工程を行う。具体的には、膨張部２２内にエアを送って加圧して対向する膨張部２２をそれぞれ膨張させる。膨張部２２が膨張すると、他方のプレート１９ｂは押圧されて閉じる方向に回転し、挟持部材１９は閉状態になる。そして、ボビン９に巻き付いていた遮水シート３を全て送り出したところで、遮水シート３基端部に付設された雄継手部１１を対向する閉状態の挟持部材１９間に嵌入させて固定する。
【００３１】
次に、図１に示すように、筒部材５内に新たなロール状の遮水シート３ａを挿装させるとともに、新たな遮水シート３ａの先端部に付設された雌継手部１０を挟持手段８によって挟持された雄継手部１１に筒部材５内で連結する工程を行う。具体的には、駆動機１６を駆動シャフト１５から取り外して蓋部５ｂ上から撤去し、筒部材５の上端に被せられた蓋部５ｂをあけて駆動シャフト１５に挿装されたボビン９を抜き取る。そして、新たなロール状の遮水シート３ａを筒部材５内に挿入し、新たなロール状の遮水シート３ａのボビン９を駆動シャフト１５に挿装させる。このとき、筒部材５内のキャスター１３は、ローラー部１３ｂがスプリング１３ａによってロール状の遮水シート３ａの外周面に接触するとともにローラー部１３ｂの向きが鉛直方向に回転する向きになり、挿入されるロール状の遮水シート３ａの外周面上を転がる。また、新たな遮水シート３ａの先端部に付設された雌継手部１０を挟持手段８によって挟持された雄継手部１１に嵌合させ、溝２内に展開された遮水シート３の基端部と新たな遮水シート３ａの先端部とを連結する。
【００３２】
次に、図６に示すように、雄継手部１１を挟持する挟持手段８を解除し、筒部材５内に新たに収納された遮水シート３ａを溝２内に展開させる工程を行う。具体的には、膨張部２２内のエアを抜いて圧力を低下させ、膨張部２２を収縮させ、他方のプレート１９ｂを開く方向に回転させ、挟持部材１９を開状態にする。そして、駆動機１６を稼動させて筒部材５内に収納された新たなロール状の遮水シート３ａを軸回転させるとともに、遮水シート収納具１を溝２に沿って移動させて、新たな遮水シート３ａを溝２内に展開する。このとき、筒部材５内で嵌合された雌継手部１０及び雄継手部１１は、対向する開状態の挟持部材１９の間を通過する。
【００３３】
上記した構成からなる遮水シート収納具１によれば、ロール状の遮水シート３，３ａは筒部材５内で回転しながら展開されるため、止水手段７によって筒部材５内部にソイルセメントＳが流入することはなく、ロール状の遮水シート３は中空の筒部材５内でスムーズに回転され、遮水シート３，３ａを容易に展開させることができる。なお、筒部材５内に抵抗の少ない水等の液体を充填してもよい。
【００３４】
また、隣接する遮水シート３，３ａ同士はソイルセメントＳが流入していない中空の筒部材５内で連結され、ソイルセメントＳの抵抗を受けることなく容易に連結することができる。また、溝２内に展開された遮水シート３基端部の雄継手部１１と新たに挿装される遮水シート３ａ先端部の雌継手部１０とを結合させる際、雄継手部１１は挟持手段８によって固定されるため、雄継手部１１が余計な挙動を起こすことがなく、容易に連結することができる。
【００３５】
また、遮水シート３，３ａ同士を連結させる際、溝２内の筒部材５を溝２内に配置したままの状態で、新たなロール状の遮水シート３ａを中空の筒部材５内に挿装させるため、遮水シート３，３ａ同士をジョイントするたびに筒部材５を溝２内から引き上げる必要がなく、施工手間を軽減することができる。また、筒部材５内へのソイルセメントＳの流入は、止水手段７の流入防止シート１７と挟持手段８のプレート１９ｂとの２重構造によって防止されるため、確実に流入を防止することができる。
【００３６】
なお、上記した第１の実施の形態では、挟持手段８は、ヒンジ結合された２枚のプレート１９ａ，１９ｂからなりボックス部１２内に固定された挟持部材１９と、挟持部材１９を開閉させる開閉機構２０とから構成されているが、本発明は、図７に示すように、ボックス部２０２内でスライド自在、且つ着脱自在な挟持手段２０１を備える遮水シート収納具２００であってもよい。
図７は遮水シート収納具２００の横断面図であり、図８は図７に示すＡ−Ａ間の縦断面図であり、図９は図７に示すＢ−Ｂ間の縦断面図である。
【００３７】
図７，図８，図９に示すように、挟持手段２０１は、ボックス部２０２内に配置されて雌継手部２１８や雄継手部２１９を両側から挟み込む２つの挟持部材２０３から構成されている。挟持部材２０３は、鉛直に配置された管状の軸部材２０４と、該軸部材２０４に外装された水平方向に回転自在のローラ２０５と、軸部材２０４の底面に形成された孔２０４ａに貫装された係止ピン２０６と、係止ピン２０６に連結されて軸部材２０４の上端から外部に出されているワイヤー２０７とから構成されている。
【００３８】
２つの挟持部材２０３は、雌継手部２１８や雄継手部２１９を挟んで隣り合わせに配置されており、２つの挟持部材２０３に備えられたローラ２０５の間には、雌継手部２１８や雄継手部２１９が引っ掛かる程度の隙間があけられている。また、２つの挟持部材２０３の上端部間には架材２０８が架設されており、２つの挟持部材２０３は一体的に形成されている。
【００３９】
また、２つの挟持部材２０３の下端部は、ボックス部２０２の底面に形成されて遮水シート３の引き出し方向に延在する溝状のガイド部２０９に嵌合されており、２つの挟持部材２０３は遮水シート３の引き出し方向にスライド自在に保持されている。また、ボックス部２０２の底面には、軸部材２０４の下端面から突出する係止ピン２０６が挿入されるピン孔２１０が形成されており、係止ピン２０６がピン孔２１０に挿入された状態では、係止ピン２０６がピン孔２１０に引っ掛かり、挟持部材２０３のスライド移動は規制される。
なお、図７，図８，図９に示す符号２１１は筒部材であり、符号２１２は遮水シートであり、符号２１３は駆動シャフトであり、符号２１４はボビンであり、符号２１５はキャスターであり、符号２１６は流入防止シートであり、符号２１７は引出口である。
【００４０】
次に、上記した挟持手段２０１を備える遮水シート収納具２００の使用方法を説明する。
図７，図９に示すように、先行の遮水シート２１２を展開させた後、挟持部材２０３によって雌継手部２１８を挟持させる工程を行う。このとき、ワイヤー２０７を引っ張って係止ピン２０６をピン孔２１０から引き抜き、２つの挟持部材２０３をガイド部２０９に沿って引出口２１７方向にそれぞれスライドさせる。
【００４１】
次いで、先行の遮水シート２１２が巻かれていたボビン２１４を筒部材２１１内から引き抜き、図１０，図１１に示すように、ボビン２１４に巻かれた新たなロール状の遮水シート２１２ａを筒部材２１１内に挿入させる工程を行う。具体的には、クレーン等によって略水平状態で吊り上げられるＨ形鋼等からなる鉄骨材２２０と、鉄骨材２２０の一端部に垂設されて架材２０８を把持する第１の把持部材２２１と、鉄骨材２２０の他端部に垂設されてボビン２１４の上端部を把持する第２の把持部材２２２とからなる吊込手段２２３によって、新たなロール状の遮水シート２１２ａおよび２つの新たな挟持部材２０３ａを一体的に吊り上げる。そして、先行して展開された既設の遮水シート２１２の雄継手部２１９と、新たな遮水シート２１２ａの雌継手部２１８とを接続させつつ筒部材２１１内に挿入し、挟持部材２０３ａの下端面から突出した係止ピン２０６をボックス部２０２底面に形成されたピン孔２１０に挿入させるとともに、ボビン２１４を駆動シャフト２１３に嵌め込む。
【００４２】
次いで、先行の遮水シート２１２の雌継手部２１８を挟持している２つの挟持部材２０３をボックス部２０２内から引き抜いて撤去し、新たな遮水シート２１２ａを展開させる。
【００４３】
上記した挟持手段２０１を備える遮水シート収納具２００によれば、先行して展開された既設の遮水シート２１２の雄継手部２１９と、新たな遮水シート２１２ａの雌継手部２１８とを接続させる際、既設の遮水シート２１２の雄継手部２１９が２つの挟持部材２０３によって固定されるため、継手作業が容易に行うことができ、作業効率も向上する。これによって、工期短縮およびコスト低減を図ることができる。また、既設の遮水シート２１２の雄継手部２１９が２つの挟持部材２０３によって固定されるため、既設の遮水シート２１２の雄継手部２１９がボックス部２０２内から抜け出ることを防止することができる。
【００４４】
［第２の実施の形態］
図１２は遮水シート収納具１００の横断面図であり、図１３は遮水シート収納具１００の縦断面図である。図１２，図１３に示すように、遮水シート収納具１００は、スリット状の引出口１０４が形成されているとともにロール状の遮水シート１０５が収納される筒部材１０１と、ロール状の遮水シート１０５を軸回転自在に保持する回転保持手段１０２と、引出口１０４から筒部材１０１内へのソイルセメントＳの流入を防止する止水手段１０３とが備えられている。遮水シート１０５は回転軸１０６にロール状に巻き付けられており、遮水シート１０５の先端部には雌継手部１０７が付設され、遮水シート１０５の基端部は回転軸１０６に接合されている。雌継手部１０７が付設された遮水シート１０５の先端部は引出口１０４から筒部材１０１の外に出ている。また、回転保持手段１０２は回転軸１０６の上下端廻りには複数のベアリング１０２ａが配設されており、回転軸１０６は回転自在に保持される。
【００４５】
筒部材１０１の外側面には、雌継手部１０７に嵌合されて結合される雄継手部１０８が付設されている。雄継手部１０８は、引出口１０４の対称位置に付設されており、筒部材１０１の軸方向に沿って延在されている。止水手段１０３は、引出口１０４から溝１０９内に送り出される遮水シート１０５を両側面から挟み込む対向するシール材１１０からなり、対向するシール材１１０は引出口１０４の両側面にそれぞれ接合されている。
【００４６】
次に上記した遮水シート収納具１００を用いて溝１０９内に遮水シート１０５の設置する方法について説明する。
【００４７】
まず、図１４に示すように、掘削機によって形成された溝１０９内にロール状の遮水シート１０５が収納された遮水シート収納具１００を挿入する工程を行う。具体的には、図４に記載の重機を使用して遮水シート収納具１００の上端部を掴持し、ソイルセメントＳで満たされた溝１０９内に遮水シート収納具１００を略鉛直に挿入する。
【００４８】
次に、遮水シート１０５の先端部を、例えば溝２内に打込んだ図示せぬ棒状のアンカー部材に係止させることで溝１０９内に固定し、回転保持手段１０２によって筒部材１０１内の遮水シート１０５を軸回転させつつ遮水シート収納具１００を溝１０９に沿って移動させる工程を行う。これによって、遮水シート１０５は引出口１０４から引き出されて溝１０９内に展開される。
【００４９】
次に、新たな遮水シート収納具１００ａを溝１０９内の筒部材１０１に隣接させて溝１０９内に挿入するとともに、新たな筒部材１０１ａ内に収納された新たな遮水シート１０５ａの雌継手部１０７と溝１０９内に立設された筒部材１０１に付設された雄継手部１０８とを連結する工程を行う。具体的には、上記した掘削機を用いて挿入する工程と同様にして新たな遮水シート収納具１００ａを把持し、新たな遮水シート１０５ａの雌継手部１０７と、溝１０９内に既に配置された筒部材１０１の雄継手部１０８とを嵌合させつつ、遮水シート収納具１００ａを略鉛直に挿入する。
【００５０】
次に、溝１０９内に既に配置された筒部材１０１内にグラウト等の固結材１１１を充填する工程を行う。具体的には、筒部材１０１の上端部に形成された図示せぬ注入口から流動性に優れた固結材１１１を充填する。
【００５１】
次に、新たな筒部材１０１ａ内に収納された遮水シート１０５ａを溝１０９内に展開させる工程を行う。具体的には、新たなロール状の遮水シート１０５ａを回転させるとともに、新たな遮水シート収納具１００ａを溝１０９に沿って移動させ、新たな遮水シート１０５ａを溝１０９内に引き出して展開させる。
【００５２】
上記した構成からなる遮水シート収納具１００によれば、遮水シート収納具１００，１００ａは、筒部材１０１，１０１ａの重量によって大きな圧入力を加えることなく溝１０９内に挿入され、溝１０９内にロール状の遮水シートを容易に配置することができる。また、雄継手部１０８は筒部材１０１に付設されているため、雌継手部１０７と雄継手部１０８とを結合させる際、筒部材１０１の重量によって雄継手部１０８が余計な挙動を起こさず、容易に連結することができる。
【００５３】
以上、本発明に係る遮水シート収納具および遮水シート収納具を用いた遮水シートの設置方法の第１，第２の実施の形態について説明したが、本発明は上記した実施の形態に限定されるものではなく、その趣旨を逸脱しない範囲で適宜変更可能である。例えば、上記した第１，第２の実施の形態では、引出口４から引き出された遮水シート３の先端部を溝２内に固定し、筒部材５内の遮水シート３を軸回転させつつ重機Ｍを使用して遮水シート収納具１を溝２に沿って移動させることによって、遮水シート３を展開させているが、この方法では、遮水シート３と流入防止シート１７との間の摩擦が大きくなり、遮水シート収納具１を鉛直に保つことが困難になる場合がある。そこで、本発明は、図１５，図１６に示すように、遮水シート収納具３００の下端部にワイヤー３０１を介して水平方向に引張力を与えることにより、遮水シート収納具３００の鉛直性を制御しながら遮水シート３０２を展開してもよい。
【００５４】
上記した遮水シート３０２の設置方法には、ワイヤー３０１によって遮水シート収納具３００を水平方向に引っ張る機構を搭載した重機Ｍ´が使用される。この重機Ｍ´は、例えば、クローラ状の本体部３０３と、略鉛直に立設されたマスト部３０４と、遮水シート収納具３００を把持してマスト部３０４に沿って上下動する把持部３０５と、把持部３０５を上下動させる移動機構３０６と、遮水シート収納具３００を略鉛直状態に保持する鉛直保持機構３０７とが備えられている。移動機構３０６は、マスト部３０４の上下端部にそれぞれ付設された上下動用滑車（シーブ）３０８と、本体部３０３に搭載された上下動用巻上機（ウインチ）３０９と、一端が把持部３０５に接続されて、上下動用のシーブ３０８に巻回されるとともに上下動用のウインチ３０９によって巻き上げられる上下動用のワイヤー３１０とから構成されている。また、鉛直保持機構３０７は、遮水シート３０２の展開方向における先方の溝３１１内に立設された棒状のワイヤー固定アンカー３１２と、遮水シート収納具３００の下端部およびマスト部３０４の上下端部にそれぞれ付設された引張用滑車（シーブ）３１３と、本体部３０３に搭載された引張用巻上機（ウインチ）３１４と、一端がワイヤー固定アンカー３１２に固定されて、引張用のシーブ３１３に巻回されるとともに引張用のウインチ３１４によって巻き上げられる引張用のワイヤー３０１とから構成されている。また、ワイヤー固定アンカー３１２はアンカー留め３１５によって固定されている。
【００５５】
上記した構成からなる重機Ｍ´を使用して遮水シート３０２を設置する方法について説明する。
まず、移動機構３０６を稼動させて遮水シート収納具３００を溝３１１内に挿入するとともに、遮水シート３０２展開方向の所定距離先の溝３１１内にワイヤー固定アンカー３１２を打ち込む。このとき、ワイヤー固定アンカー３１２の下端部に予めワイヤー３０１を連結しておくとともに、このワイヤー３０１を引張用のシーブ３１３を通して引張用のウインチ３１４に巻きつけておく。次に、重機Ｍ´を遮水シート３０２展開方向に移動させるとともに、引張用のウインチ３１４で引張用のワイヤー３０１を巻き取り、遮水シート収納具３００の下端部に引張力を与える。
【００５６】
上記した遮水シート３０２の設置方法によれば、遮水シート収納具３００を移動させて遮水シート３０２を展開させる際、遮水シート３０２と流入防止シート３１６との間の摩擦が大きい場合でも遮水シート収納具３００を容易に鉛直に保つことができ、ソイルセメント壁中の遮水シート３０２の展開作業をスムーズに行うことができる。
なお、無論、第２の実施の形態における遮水シート収納具の下端部にワイヤーを介して水平方向に引張力を与えることにより、遮水シート収納具の鉛直性を制御しながら遮水シートを展開してもよい。
【００５７】
また、上記した第１の実施の形態では、ロール状の遮水シート３が載せられたターンテーブル１４を回転させることでロール状の遮水シート３を軸回転させているが、本発明は、遮水シートが巻き付けられたボビンを回転させることでロール状の遮水シートを軸回転させてもよい。また、ロール状の遮水シート３は、駆動シャフト１５が挿通するボビン９に遮水シート３をロール状に巻き付けて形成されているが、本発明は、遮水シートのみをロール状に巻いたものでもよい。
【００５８】
また、上記した第１の実施の形態では、挟持手段８には、エアの圧力によって膨張する膨張部２２を用いて挟持部材１９を開閉させる開閉機構２０が備えられているが、本発明は、モータ等のアクチュエータを用いて挟持部材を開閉させてもよい。
【００５９】
また、上記した第２の実施の形態では、ベアリング１０２ａによって軸回転自在に保持された回転軸１０６に遮水シート１０５を巻き付けているが、本発明は、遮水シートをボビンに巻き付け、該ボビンを回転しない軸材に回転自在に挿装させてもよい。また、第１の実施の形態と同様に、駆動機を設けてロール状の遮水シートを機械的に軸回転させてもよい。
【図面の簡単な説明】
【００６０】
【図１】本発明に係る遮水シート収納具および遮水シート収納具を用いた遮水シートの設置方法の第１の実施の形態を説明するための遮水シート収納具の横断面図である。
【図２】本発明に係る遮水シート収納具および遮水シート収納具を用いた遮水シートの設置方法の第１の実施の形態を説明するための遮水シート収納具の縦断面図である。
【図３】（ａ）は第１の実施の形態を説明するための閉状態の挟持手段を表す斜視図であり、（ｂ）は第１の実施の形態を説明するための開状態の挟持手段を表す斜視図である。
【図４】本発明に係る遮水シート収納具および遮水シート収納具を用いた遮水シートの設置方法の第１の実施の形態を説明するための全体縦断面図である。
【図５】本発明に係る遮水シート収納具および遮水シート収納具を用いた遮水シートの設置方法の第１の実施の形態を説明するための遮水シート収納具の横断面図である。
【図６】本発明に係る遮水シート収納具および遮水シート収納具を用いた遮水シートの設置方法の第１の実施の形態を説明するための遮水シート収納具の横断面図である。
【図７】本発明に係る遮水シート収納具および遮水シート収納具を用いた遮水シートの設置方法のその他の実施形態を説明するための遮水シート収納具の横断面図である。
【図８】図７に示すＡ−Ａ間の縦断面図である。
【図９】図７に示すＢ−Ｂ間の縦断面図である。
【図１０】本発明に係る遮水シート収納具および遮水シート収納具を用いた遮水シートの設置方法のその他の実施形態を説明するための遮水シート収納具の横断面図である。
【図１１】本発明に係る遮水シート収納具および遮水シート収納具を用いた遮水シートの設置方法のその他の実施形態を説明するための遮水シート収納具の縦断面図である。
【図１２】本発明に係る遮水シート収納具および遮水シート収納具を用いた遮水シートの設置方法の第２の実施の形態を説明するための遮水シート収納具の横断面図である。
【図１３】本発明に係る遮水シート収納具および遮水シート収納具を用いた遮水シートの設置方法の第２の実施の形態を説明するための遮水シート収納具の縦断面図である。
【図１４】本発明に係る遮水シート収納具および遮水シート収納具を用いた遮水シートの設置方法の第２の実施の形態を説明するための全体横断面図である。
【図１５】本発明に係る遮水シート収納具および遮水シート収納具を用いた遮水シートの設置方法のその他の実施の形態を説明するための全体縦断面図である。
【図１６】本発明に係る遮水シート収納具および遮水シート収納具を用いた遮水シートの設置方法のその他の実施の形態を説明するための全体縦断面図である。
【符号の説明】
【００６１】
１，１００，１００ａ，２００，３００  遮水シート収納具
２，１０９，３１１  溝
３，３ａ，１０５，１０５ａ，２１２，２１２ａ，３０２  遮水シート
４，１０４，２１７  引出口
５，１０１，１０１ａ，２１１  筒部材
６，１０２  回転保持手段
７，１０３  止水手段
８，２０１  挟持手段
１０，１０７，２１８  雌継手部（第１の継手部）
１１，１０８，２１９  雄継手部（第２の継手部）
Ｇ  地盤
【図１】
2006207153.tif 000003
【図２】
2006207153.tif 000004
【図３】
2006207153.tif 000005
【図４】
2006207153.tif 000006
【図５】
2006207153.tif 000007
【図６】
2006207153.tif 000008
【図７】
2006207153.tif 000009
【図８】
2006207153.tif 000010
【図９】
2006207153.tif 000011
【図１０】
2006207153.tif 000012
【図１１】
2006207153.tif 000013
【図１２】
2006207153.tif 000014
【図１３】
2006207153.tif 000015
【図１４】
2006207153.tif 000016
【図１５】
2006207153.tif 000017
【図１６】
2006207153.tif 000018